(57)【要約】      （修正有）【課題】少人数のグループ討議に際して、一つの命題を与えて、グループ毎に複数の結論を導き、発表時にグループ毎の資料を参加者全員で閲覧が可能なグループ討議システムを提供する。【解決手段】グループ討議が開始されると、携帯端末機群は複数機が所属する複数のグループに分けられ、管理サーバは、保存した前記複数のグループ毎に有する前記グループ討議用資料を、接続を許可した討議管理用端末機及び前記複数のグループに属する前記携帯端末機に転送し、前記携帯端末機の使用者は、グループ討議中に前記携帯端末機の画面上で前記グループ討議用資料に重畳する形式で入力してメモデータを別途作成し、前記メモデータは、前記管理サーバに送信及び保存され、前記グループに属する前記携帯端末機及び前記討議管理用端末機は、前記管理サーバに保存された前記メモデータを参照して前記グループ討議用資料に重畳する形式で表示する。【選択図】図３
2013239047.tif 000002
【特許請求の範囲】
【請求項１】
ネットワーク機器に接続される管理サーバと、討議管理用端末機及び、携帯端末機群からなるグループ討議システムにおいて、
グループ討議が開始されると、前記携帯端末機群は複数機が所属する複数のグループに分けられ、
グループ討議開始にあたって前記管理サーバは、前記管理サーバに保存した、前記複数のグループ毎に有する、前記グループ討議用資料を、接続を許可した前記討議管理用端末機及び前記複数のグループに属する前記携帯端末機に転送し、
前記討議管理用端末機及び前記グループに属する携帯端末機は、転送された前記グループ討議用資料を画面に表示し、
当該グループ討議用資料は、前記グループ討議中は他のグループに属する前記携帯端末機から閲覧及び更新が不可能な制限があり、
前記討議管理用端末機は、グループ討議中及びのグループ討議の開始前後を通じて、複数の前記グループ討議用資料を閲覧及び更新が可能であり、
前記携帯端末機の使用者は、グループ討議中に前記携帯端末機の画面上で前記グループ討議用資料に重畳する形式で入力してメモデータを別途作成し、
前記メモデータは、前記使用者によって更新命令と共に前記メモデータのみを前記管理サーバに送信及び保存され、前記グループに属する前記携帯端末機及び前記討議管理用端末機は、前記管理サーバに保存された前記メモデータを参照して前記グループ討議用資料に重畳する形式で表示することを特徴とするグループ討議システム。
【請求項２】
前記グループに属する前記携帯端末機及び前記討議管理用端末機は、前記メモデータに対して、さらに重畳する形式で入力してメモデータを更新することが可能であること
を特徴とする請求項１に記載のグループ討議システム。
【請求項３】
前記グループ討議システムは、さらに発表用端末機を備え、前記携帯端末機及び前記討議管理用端末機の画面に表示されたグループ討議用資料は、前記管理サーバによって中継された前記発表用端末機からの命令によって、前記命令を受信した前記携帯端末機及び前記討議用端末機上でページ送りが実行されることが可能であることを特徴とする請求項１又は請求項２に記載のグループ討議システム
【請求項４】
前記ページ送りは、前記発表用端末機に表示された前記グループ討議用資料と、前記携帯端末機及び前記討議管理用端末機の画面に表示された資料が、同期して、ページ送り及び表示が行われることが可能であること
を特徴とする請求項３に記載のグループ討議システム。
【請求項５】
前記グループ討議の終了時に前記管理サーバは、前記管理サーバ内に保存したグループ討議用資料に前記メモデータを重畳して合成した合成資料を作成し、前記管理サーバ内の所定の格納場所に保管すること
を特徴とする請求項１乃至請求項４のうち、いずれか１に記載のグループ討議システム。
【請求項６】
前記管理サーバは、前記メモデータ及び／又は前記合成資料を履歴として複数保存することを特徴とする請求項１乃至請求項５のうち、いずれか１に記載のグループ討議システム。
【請求項７】
前記携帯端末機のグループ討議中のグループの所属は、グループ討議中に変更が可能なことを特徴とする請求項１乃至請求項６のうち、いずれか１に記載のグループ討議システム。
【請求項８】
前記メモデータは、グループ討議開始以前に予め作成していた資料を、前記管理サーバに記憶させて、前記携帯端末で使用可能なことを特徴とする請求項１乃至請求項７のうち、いずれか１に記載のグループ討議システム。
【発明の詳細な説明】
【技術分野】
【０００１】
本発明は、企業や学校、塾などにおける教育、セミナー等の機会において、電子計算機を用いたシステムに関し、特に、セミナーや授業（以下、本発明で講義と記す）などの最中に、少人数のグループ討議に際して、一つの命題を与えて、グループ毎に複数の結論を導き、発表時にグループ別の資料を参加者全員で閲覧が可能な電子機器を使用したグループ討議システムに関する。
【背景技術】
【０００２】
近年、クラウドコンピューティング等の技術を背景として、電子黒板やタブレット型デバイスなどを使用した電子教育システムが広がりつつある。電子データで資料を共有でき、資料の一元管理やペーパーレスな教育を実現することが可能である。また、電子教育システムは遠隔地、例えば関東と関西の間でも講義が可能であり、移動時間や交通費が不要になるなど経済的効果も大きく、導入するメリットは大きい。このような電子教育システムを導入して講義等を行う企業、団体や教育現場への普及が進みつつある。
【０００３】
しかしながら、電子教育システムを用いて講義を行う場合において、特に、地理的に離れた場所での遠隔講義を行う場合、講師から各参加者への講義を行うのみの、いわゆる一方向のみの情報展開となってしまう場合が多く、講義を受ける参加者同士のコミュニケーションが取りにくい問題が発生する。そこで、特許文献１に示すような、参加者間のディスカッションを行うためのシステムも開示されている。
【先行技術文献】
【特許文献】
【０００４】
【特許文献１】特許公開２００２−９１８６５
【発明の概要】
【発明が解決しようとする課題】
【０００５】
特許文献１は、参加者がネットワークを利用して一つのテーマについてディスカッションできるディスカッション・システムであり、参加者が「ディスカッションルーム」に予め登録して用意されたディスカッションのテーマについて選択すると、選択したディスカッションのテーマについて、発言を入力することで、他の参加者とディスカッションをすることができるシステムが開示されている。
【０００６】
しかしながら、特許文献１では、ディスカッションの結果がオンライン上の文字情報のみで作成される。実際の教室等における講義などで複数の参加者がいる場合は、ディスカッションの結果を発表する場合があるが、特許文献１の発明では、オンライン上の文字情報のみによってディスカッションの結果を公表となるため、実際のディスカッション参加者以外の者に結果を発表する経験をすることや、当該発表に対して質疑応答をもらう等の、双方向の議論をするなどの体験をすることができない。また、ディスカッション中の経過が解り難く、ディスカッション中に指導者からの指示が得られず、議論の方向性が誤る場合が生ずる。また、ディスカッションのテーマが予め決められており、また、当該テーマに対するユーザにおいては、参加しても発言をしないユーザも生じてしまう恐れがあり、学生間の双方向のディスカッションの目的を達成できない場合がある。
【０００７】
そこで本発明では、電子計算機を用いたペーパーレスなグループ討議システムに関して、講義などの最中に、少人数のグループ討議に際して、一つの命題を与えて、グループ毎に複数の結論を導き、発表時にグループ毎の資料を参加者全員で閲覧が可能であり、グループ討議中のグループ変更が容易に行える、学生間及び講師間の双方向の議論を行うために適した、グループ討議システムを提供する。
【課題を解決するための手段】
【０００８】
本発明のグループ討議システムは、ネットワーク機器に接続される管理サーバと、討議管理用端末機と、及び携帯端末機群からなるグループ討議システムにおいて、講義中にグループ討議が開始されると、前記携帯端末機群が所属する複数のグループに分けられ、グループ討議開始にあたって前記管理サーバは、前記管理サーバに保存した、前記複数のグループ毎に有する、前記グループ討議用資料を、接続を許可した前記討議管理用端末機及び前記複数のグループに属する前記携帯端末機に転送し、前記討議管理用端末機及び前記グループに属する携帯端末機は、転送された前記グループ討議用資料を画面に表示し、当該グループ討議用資料は、前記グループ討議中は他のグループに属する前記携帯端末機から閲覧及び更新が不可能な制限があり、前記討議管理用端末機は、グループ討議中及びのグループ討議の開始前後を通じて、複数の前記グループ討議用資料を閲覧及び更新が可能であり、前記携帯端末機の使用者は、グループ討議中に前記携帯端末機の画面上で前記グループ討議用資料に重畳する形式で入力してメモデータを別途作成し、前記メモデータは、前記使用者によって更新命令と共に前記メモデータのみを前記管理サーバに送信及び保存され、前記グループに属する前記携帯端末機及び前記討議管理用端末機は、前記管理サーバに保存された前記メモデータを参照して前記グループ討議用資料に重畳する形式で表示することを特徴とする。
【０００９】
本発明の電子グループ討議システムにおける、前記グループに属する前記携帯端末機及び前記討議管理用端末機は、前記メモデータに対して、さらに重畳する形式で入力してメモデータを更新することが可能であることを特徴とする。
【００１０】
本発明のグループ討議システムにおける、前記グループ討議システムは、さらに発表用端末機を備え、前記携帯端末機及び前記討議管理用端末機の画面に表示されたグループ討議用資料は、前記管理サーバによって中継された前記発表用端末機からの命令によって、前記命令を受信した前記携帯端末機及び前記討議用端末機上でページ送りが実行されることを特徴とする。
【００１１】
本発明のグループ討議システムにおける、前記ページ送りは、前記発表用端末機に表示された前記グループ討議用資料と、前記携帯端末機及び前記討議管理用端末機の画面に表示された資料が、同期して、ページ送り及び表示が行われることを特徴とする。
【００１２】
本発明の電子グループ討議システムにおける、前記グループ討議の終了時に前記管理サーバは、前記管理サーバ内に保存したグループ討議用資料に前記メモデータを重畳して合成した合成資料を作成し、前記管理サーバ内の所定の格納場所に保管することを特徴とする。
【００１３】
本発明のグループ討議システムにおける、前記管理サーバは、前記メモデータ及び／又は前記合成資料を履歴として複数保存することを特徴とする。
【００１４】
本発明のグループ討議システムは、前記携帯端末機のグループ討議中のグループの所属を、グループ討議中に変更が可能なことを特徴とする。
【００１５】
本発明のグループ討議システムにおける、前記メモデータは、グループ討議開始以前に予め作成していた資料を、前記管理サーバに記憶させて、前記携帯端末で使用可能なことを特徴とする。
【発明の効果】
【００１６】
本発明よれば、ペーパーレスの電子グループ討議システムにおいて、少人数のグループにわかれ、グループ討議をする際に、グループ内で一の電子資料（グループ討議用資料）に対して、書き込みをして、情報を共有しながら議論することが出来る。
【００１７】
また、グループ討議中に、他のグループのグループ討議用資料を見ることが出来ないので、グループ内でオリジナルの議論することが出来る。
【００１８】
また、グループ討議中にグループ変更することができ、グループ変更をした場合、新しく変更先グループに加入した参加者も、変更時点の新しい変更先グループのグループ討議用資料を共有しながらグループの中で議論することが出来る。
【００１９】
また、グループ討議中に、任意の参加者が発表者権限を持つことにより、発表者の所属するグループのグループ討議用資料をグループ討議参加者全員で見ることができ、当該グループ討議用資料を見ながら、議論の結果を発表し、検討することが出来る。
【図面の簡単な説明】
【００２０】
【図１】グループ討議システムの概念を示す図である。
【図２】グループ討議システムの、管理サーバ及びデータベースを示す概念図である。
【図３】グループ討議システムの、全体構成図である。
【図４】グループ討議システムの、携帯端末機を示す図である。
【図５】グループ討議システムの、討議管理用端末を示す図である。図５（Ａ）は、討議管理用端末の画面を４分割表示した図、図５（Ｂ）は、討議管理用端末の画面の他の表示方法を示す図である。
【図６】グループ討議システムの、管理用メニューを示す図である。
【図７】グループ討議システムの、参加者管理に関する画面である。図７（Ａ）は参加者一覧画面、図７（Ｂ）は、参加者の新規登録用画面を示す図である。
【図８】グループ討議システムの、講義の管理に関する画面である。図８（Ａ）は講義情報一覧画面、図８（Ｂ）は講義情報の新規作成に係る基本情報設定画面、図８（Ｃ）は講義情報の新規作成に係る講師設定画面、図８（Ｄ）は、講義情報の新規作成に係るグループ設定画面、図８（Ｅ）は、グループ情報の新規作成画面である。
【図９】グループ討議システムの、グループ選択画面を示す図である。
【図１０】グループ討議システムの、発表者権限の承認方法を示す図である。
【発明を実施するための形態】
【００２１】
以下、図面を用いて本グループ討議システムの説明をする。
［システム概要］
図１及び図３は、本発明のシステム全体の概要を示す図である。グループ討議システム１は、管理サーバ３、携帯端末機４、討議管理用端末機５、発表用端末機６、及び無線ルータ７がネットワーク２から構成されている。
【００２２】
ネットワーク２はインターネットを用いても良いが、社内ＬＡＮ（Ｌｏｃａｌ  Ａｒｅａ  Ｎｅｔｗｏｒｋ）や外部と独立したスタンドアロン式のネットワークでも利用可能である。独立したネットワークは機密性が高く、外部からの侵入、又は情報の漏洩や破壊等を防止することができるからである。
【００２３】
管理サーバ３はグループ討議システム１の動作の制御、グループ討議用資料１１の保存、メモデータ１２の保存、講義情報及びグループ情報の登録／削除、参加者情報の個別設定情報の管理等を行い、これらの各種情報を保存する為のデータベース３０（図２参照）を有している。
【００２４】
携帯端末機４は、講義の参加者が使用する端末機である。グループ討議中にグループ討議用資料１１の閲覧、メモの入力、発表者権限を付与されることにより発表者用端末となることが可能である。
【００２５】
討議管理用端末機５は、グループ討議中の進行を管理する討議進行管理者が使用する端末機である。グループ討議中の各グループのグループ討議用資料１１に係る操作、携帯端末機からの発言権要求に対する承認、発言権の剥奪等の機能を有する。なお、本実施例では、講師が討議進行管理者を務める。
【００２６】
無線ルータ７はネットワーク２と携帯端末機４とを通信接続する機能を有する。通信方式はＢｌｕｅｔｏｏｔｈ（登録商標）、Ｗｉ−Ｆｉ（ｗｉｒｅｌｅｓｓ  ｆｉｄｅｌｉｔｙ：登録商標）等の無線式によるもの、又はイーサネット（登録商標）による同軸、光ケーブル等による有線式の接続でも良く、ネットワーク２と携帯端末機４の相互間でデータの送受信が行える構成で有れば良い。
【００２７】
［管理サーバ］
管理サーバ３は、内蔵又は外付けの記憶領域を有し、前記記憶領域には、管理サーバ３用アプリケーションがインストールされ、グループ討議システム１全体の制御を行う。また、前記記憶領域にはグループ討議システム１に関するデータベース３０が構築されている（図２参照）。
【００２８】
管理サーバ３において管理サーバ３用アプリケーションが起動し、討議管理用端末機５及び携帯端末機４間との命令を送受信し、処理を行う。管理サーバ３用アプリケーションは、起動中に複数の討議管理用端末機５及び携帯端末機４と命令を送受信するため、管理サーバ３に常駐し、イベント駆動式が好適である。イベント駆動式とは、ユーザや他のプログラムが実行したイベント（操作）に対応して処理を行なう、プログラムの実行形式であり、ユーザが操作を行っていないときにはプログラムは操作の実行を待機しているため、ユーザはそのプログラムを待ち状態で、他のプログラム等の操作を行なうことができる。ＧＵＩ（Ｇｒａｐｈｉｃａｌ  Ｕｓｅｒ  Ｉｎｔｅｒｆａｃｅ）のユーザインタフェースを有するプログラムで広く採用されている、実行方式である。
【００２９】
また、管理サーバ３は、図２に示すように、データベース３０を有し、グループ討議システム１に関する情報として、講義情報３１（講義名３１ａ、開催日時３１ｂ、開催場所３１ｃ、内容３１ｄ、閲覧期限３１ｅ、メモ情報削除期限３１ｆ、講義資料欄３１ｇ）、講義資料情報３２、グループ情報３３（グループ名３３ａ、参加者情報３３ｂ、携帯端末情報３３ｃ、講師権限有無３３ｄ）、メモ情報３４、メモ情報付加講義資料情報３５、等の各テーブルを有する。データベース３０への入出力及びアクセスは、管理サーバ３用アプリケーションが実行する。
【００３０】
また、データベース３０の携帯端末機情報３３ｃの設定登録／削除等をすることによって、携帯端末機４をグループ討議システム１で使用することが可能か否かの管理等を行う。
【００３１】
また、管理サーバ３は、グループ討議終了時に、メモ情報付加講義資料情報３５に関連づけられるグループ討議中に各グループ参加者が作成した合成資料１３を管理サーバ３内の所定の保管場所に保管する。
【００３２】
［携帯端末機］
図４に示す、携帯端末機４は、講義の参加者がグループ討議中にグループ討議用資料１１を閲覧する、グループ討議用資料１１に係るメモを入力する、ための機器である。携帯端末機４は、内部または外部に記憶装置を有し、前記記憶領域には、携帯端末機４で本発明に係るグループ討議用資料１１を閲覧及び操作可能な、マークアップ言語（ＨＴＭＬ５等）及びスクリプト言語等で作成された命令が実行可能なアプリケーション環境（ＷＷＷブラウザ等）を有している。また、管理サーバ３からダウンロードしたグループ討議用資料１１を携帯端末機４の記憶領域（図示せず）に保存し、参加者はグループ討議中にグループ討議用資料１１を携帯端末機４の画面上に表示して閲覧する。
【００３３】
また、携帯端末機４は、参加者が操作可能な入力装置を有しており、参加者がグループ討議用資料１１上に上書きするように重ね合わされ、画面上の任意の位置に、任意の大きさ、色彩で書き込むことができる。本実施例ではタッチパネルを使用するので、指、スタイラスペンなどで手書き入力をすることができる。また、入力装置として、マウス、タッチパネル、キーボード等で入力をしても良い。
【００３４】
また、グループ討議終了時には、前記メモを管理サーバに転送すること、及び、管理サーバ３は閲覧期限３１ｅを経過後に、携帯端末機４が次回の講義資料情報３２を表示した時に、携帯端末機４に保存されたグループ討議用資料１１を削除する機能を有する。
【００３５】
参加者はグループ討議開始時に携帯端末機を貸与される他に、参加者の自己の保有する携帯端末機を、管理サーバに登録することで使用しても良い。
【００３６】
携帯端末機４は、前記マークアップ言語（ＨＴＭＬ５等）及びスクリプト言語等で作成された命令が実行可能なアプリケーション環境（ＷＷＷブラウザ等）を有していれば、デスクトップパソコン、ノートパソコン、タブレット等の機器を問わず、ＯＳ（Ｏｐｅｒａｔｉｏｎ  ｓｙｓｔｅｍ）についても、ＭＳ−Ｗｉｎｄｏｗｓ（登録商標）、Ｍａｃ  ＯＳ（登録商標）等のパソコン用や、携帯端末機用のｉＯＳ（登録商標）、Ａｎｄｒｏｉｄ（登録商標）、等のＯＳでも良い。また、入力装置もマウス、タッチパネル、キーボード等の使用者が操作し端末機に入力できるもので有ればよい。例えば、３２インチ乃至８０インチ、又はそれ以上の大型サイズのタッチパネルディスプレイを備えた端末機を用いることで、ホワイトボードを用いた討議の様に、複数の参加者が一の画面上でグループ討議用資料１１上に重畳する形でメモを記入しながら討論をすることも可能である。本実施例では、小型で可搬型のタッチパネル入力形式を有する携帯端末機を例として説明する。
【００３７】
なお、携帯端末機４と管理サーバ３及び討議管理用端末機５との命令の送受信等の処理は、携帯端末機４に準備された、マークアップ言語（ＨＴＭＬ５等）及びスクリプト言語等で作成された命令が実行可能なアプリケーション環境（ＷＷＷブラウザ等）を使用して実行するが、以降の説明において「アプリケーション」を省略し、「携帯端末機４」を操作と記載する。
【００３８】
［討議管理用端末機］
図５に示す、討議管理用端末機５は、グループ討議において、講師が操作を行う端末機である。討議管理用端末機５は、携帯端末機４に表示されたグループ討議用資料１１を操作し、切り替える命令、すべてのグループ討議用資料１１に対するアクセス権を有することによる閲覧、更新の実行、及び発表者に発表者権限を付与する等を、実行可能な端末機である。
【００３９】
討議管理用端末機５は、講師権限を有する参加者（図８（Ｃ）に示す講義情報一覧画面２４ｃにて設定する）が、携帯端末機４の設定を変更することによって、討議管理用端末機５としての権限を有し、使用可能となる。なお、講師権限を有する参加者は、一つのグループ討議内に複数存在しても良い。
【００４０】
なお、討議管理用端末機５と管理サーバ３及び携帯端末機４への命令の送受信等の処理は、携帯端末機４と同様に、討議管理用端末機５（携帯端末機４）に準備された、マークアップ言語（ＨＴＭＬ５等）及びスクリプト言語等で作成された命令が実行可能なアプリケーション環境（ＷＷＷブラウザ等）を使用して実行するが、以降の説明において「アプリケーション」を省略し、「討議管理用端末機５」を操作と記載する。
【００４１】
［発表用端末機］
発表用端末機６（図４に示す）は、主にグループ討議後の発表の際に、参加者（発表者）が、使用する端末機である。発表時に参加者が発表を希望する場合、前記講師が当該参加者に一時的に発表者の権限承認をすることで、前記参加者（発表者）の携帯端末機４が発表用端末６として使用可能となる。発表用端末機６に表示しているグループ討議用資料１１及びメモデータ１２内容を、全ての携帯端末機４及び討議管理用端末機５に表示し、発表者が発表用端末機６の画面を操作すると、全ての携帯端末機４及び討議管理用端末機５が発表用端末機６と同じ操作及び表示を行うことで、発表者がグループ討議用資料１１及びメモデータ１２を説明し、発表を行うことができる。
【００４２】
前記発表者の権限承認手順は、図１０に示すように、承認権限をもつ討議管理用端末機５に、発表を希望する参加者の携帯端末機４から、発表者権限の承認を希望する旨の通知を行うと、討議管理用端末機５に発表者権限付与画面４７を表示する。次に前記講師が前記発表者権限付与画面上で「許可」を押下すると、前記発表希望の参加者の携帯端末機４に、発表者の権限を承認する通知を行い、発表者の権限を承認された参加者の携帯端末機４は発表用端末機６として使用可能となる。なお、討議管理用端末機５は、発表用端末機６の一時発表者権限を強制的に剥奪したり、操作に制限を付けることが可能である。
【００４３】
また、発表中、発表者は発表用端末６を操作して、発表用端末６に表示されたグループ討議用資料１１を、入力装置を操作してページをめくる。発表用端末機６は、ページ送りが行われると、管理サーバ３に「ページ送り」命令を送信する。管理サーバ３は命令を受信し、各参加者の携帯端末機４に「ページ送り」命令を転送する。携帯端末機４は命令を受信すると、命令に記載されたページと同じとなるように、グループ討議用資料１１のページを表示する。発表用端末６と携帯端末機４は、グループ討議用資料１１の同じページを表示することとなる（以下、「同期する」という）。
【００４４】
また、発表中、講師及び全参加者の携帯端末機４だけではなく、大型の表示部を有するディスプレイを準備し、この大型サイズのタッチパネルディスプレイを一の参加者として登録しておくことによって、発表者の発表用端末機６と同期させて、発表内容が大型ディスプレイ上に表示されるようにすると、講義の進行が確認し易く、好適である。
【００４５】
［初期（講義）設定］
図６乃至図８を参照して、本発明に係るグループ討議システムの設定について説明する。図６は、電子グループ討議システムの、管理用メニューを示す図、図７（Ａ）及び図７（Ｂ）は、参加者管理に関する図、図８（Ａ）乃至図８（Ｅ）は、は講義情報に関する図である。
【００４６】
図６は、管理サーバ３で操作する、本グループ討議システムの管理用メニュー画面２１である。管理用メニュー画面２１で設定可能なのは、講義情報管理、参加者管理、グループ管理である。
【００４７】
まず、管理用メニュー画面から「参加者管理」を選択すると、図７（Ａ）に示す参加者管理画面２３ａを表示する。参加者管理画面２３ａは、本グループ討議システムに登録されている、名簿一覧を表示する。名簿は、氏名、メールアドレス、権限（参加者、講師）等を情報として有している。名簿を一元管理することで、重複登録などの無駄を防止する等のメンテナンス性を向上させることができる。
【００４８】
参加者管理データに新規に登録する場合は、参加者管理画面の「新規作成」ボタンを押下することで図７（Ｂ）に示す参加者新規作成画面２３ｂに遷移し、必要事項を入力することで、新規登録が可能になる。なお、すでに他のシステム等で用意された名簿を利用してＣＳＶ形式やテキスト形式等で名簿データを取りこむように、参加者管理画面２３ａに「ＣＳＶダウンロード」や「一括登録」等の機能を持たせ、外部の名簿データの取り込みにより、データ登録の効率化を図る機能を持たせるようにしても良い。
【００４９】
次に管理用メニュー画面２１から「講義情報」を選択すると、図８（Ａ）に示す講義情報一覧画面２４ａを表示する。講義情報一覧画面２４ａは、本グループ討議システムに登録されている、講義情報の一覧を表示する。講義一覧は、講義中のグループ討議１１で使用する資料のページ数、参加者のグループ分けを行う際のグループ数等を情報として有している。
【００５０】
講義情報一覧画面２４ａに新規データを登録する場合は、講義情報一覧画面２４ａの「新規作成」ボタンを押下することで図８（Ｂ）に示す講義情報新規作成画面−基本情報−２４ｂに遷移し、必要事項を入力することで、新規登録が可能になる。講義情報新規作成画面−基本情報−２４ｂでは、講義名を新規に入力し、当該講義中のグループ討議１１で使用する資料を選択する。資料は、外部で作成したデータを管理サーバ３に取り込み、「ＰＤＦインポートボタン」でＰＤＦに変換することで、グループ討議中の閲覧が可能なグループ討議用資料１１として登録される。また、有効期限を設定可能し、有効期限を経過した場合、自動的に前記資料が管理サーバ３及び携帯端末機４から削除されるようにしても良い。「次へ」ボタンで図８（Ｃ）に示す講義情報新規作成画面−講師−２４ｃに遷移する。講義情報新規作成画面−講師−２４ｃでは、当該講義で講師役を画面に表示された参加者一覧から選択する。なお、参加者一覧は、参加者管理画面２４ａから登録したデータである。
【００５１】
続いて、図８（Ｄ）に示す、講義情報新規作成画面−グループ−２４ｄで、当該グループ討議に参加するグループを選択する。あらかじめ登録されたグループの一覧から選択する、又は図８（Ｅ）に示す、講義情報新規作成画面−グループ新規作成−２４ｅにて、新規グループを作成登録し、選択することも可能である。
【００５２】
［グループ討議機能］
次に、図３を参照して、本発明のグループ討議機能について説明する。図３は、本発明に係る電子グループ討議システムのグループ討議の状態を示す概要図である。
グループ討議機能は、参加者が少人数のグループ毎に分かれて、議論を行い、グループ毎にグループ討議メモを作成し、及び、グループ毎に前記グループ討議メモを使用して結果発表を行う為の機能である。
【００５３】
参加者は、管理サーバ３に登録されたグループ情報３３を有しており、講師は討議管理用端末機５の画面上から「グループ討議開始」ボタン（図示せず）を押下し、及び参加者は、自己の携帯端末機４の画面上からグループ変更ボタン４２を押下することで、「グループ討議開始」を押下した参加者はグループ情報３３の参加者情報３３ｂに基づいて複数の少人数グループ（グループＡ、グループＢ、グループＣ、等）に分割し、グループ討議を開始する。
【００５４】
［グループ討議用資料］
各グループは、グループ討議が開始された際、予め講師及び管理者によって、講義情報新規作成画面−基本情報−２４ｂ（図８（Ｂ）に示す）にて登録されたグループ討議用資料１１に対して、特別な操作をすることなく、即時にアクセス及び更新可能である。なお、参加者は、グループ討議中は異なるグループのグループ討議用資料１１を、アクセス制限により、閲覧することができない。例えば、グループＡ参加者は、グループ討議用資料１１ａにはアクセス可能であるが、グループ討議中は、グループ討議用資料１１ｂ、１１ｃ等にはアクセス不可能である。但し、講師は、全てのグループ討議用資料１１にアクセス可能であり、内容や進捗を管理することが出来る。
【００５５】
各参加者は、予め課された課題に対して回答を所定の形式（テキスト文、ＣＳＶファイル）で回答データを作成しておき、講師又は管理者は、講義情報新規作成画面−基本情報−２４ｂ（図８（Ｂ）に示す）のデータ取込ボタン４５で回答データを管理サーバ３に保存し、管理サーバ３を経由して、前記回答データを、グループ討議用資料１１に重畳するメモデータ１２として付加することが出来る。前記回答データは、例えば、手書メモ、付箋メモ等が考えられる。付箋メモは付箋の形状のメモデータ１２でグループ討議用資料に重畳して貼り付けたり、手書きメモは、グループ討議用資料１１に重畳して表示する。また、表示後に画面上で追加することも当然可能である。携帯端末機４に表示した手書メモ、付箋メモは、自由に更新、削除、移動及び互いに直線で結ぶなどして関連付けを示すことなどが出来る。
【００５６】
また、講師又は管理者は、グループ討議などで使用される頻度の高い資料、例えば、フィッシュボーン図（特性要因図）やベン図などを、管理サーバ３に事前に登録することが可能である。参加者は、図４に示すテンプレート取込ボタン４６を押下することにより、事前に登録されている、例えば、フィッシュボーン図（特性要因図）などを、グループ討議用資料１１に追加することが可能である。グループ討議用資料１１の最終ページに追加されて、追加以前のグループ討議用資料１１と同様に、手書きメモ、付箋メモなどを重畳して、記入することが可能である。
【００５７】
［グループ討議用資料へのメモ保存］
参加者は、グループ討議の進行や議論によって、表示しているグループ討議用資料にコメントなどを書き込みしたい場合が発生する。このような場合、参加者自身が使用中の携帯端末機４の画面上に、メモ書き等を入力することが出来る。入力したメモ書きは、グループ討議用資料１１とは別データとしてメモデータ１２を作成し、携帯端末機４はメモデータ１２を保持する。
【００５８】
グループ討議用資料１１は、グループ討議中は新規に生成されず、開始から終了まで同一のグループ討議用資料１１を利用する。グループ討議用資料１１は、グループ討議中は、各グループの参加者により記入されたメモデータ１２が、順次重畳される形で表示される。
【００５９】
ここで、参加者は、画面上の「ＳＡＶＥ」ボタン４１を押下することで、携帯端末機４が保持するメモデータ１２を管理サーバ３に送信し、管理サーバ３はメモデータ１２を保存する。グループに属する携帯端末機４及び討議管理用端末機５は、管理サーバ３に保存されたメモデータ１２の内容を定期的にチェックし、更新が発生した場合は、更新されたメモデータ１２を参照して、当該グループのグループ討議用資料１１に重畳する形式で、メモデータ１２再描画を行う。このようにして、同一のグループに所属する他の参加者の携帯端末機４及び討議管理用端末機５の画面にも同一のグループ討議用資料１１が表示させることが出来る。
【００６０】
「ＳＡＶＥ」ボタン４１を押下しない場合は、メモデータ１２は、グループ討議の終了時、携帯端末機４の電源ＯＦＦ時、携帯端末機４の使用者の任意の操作、又は管理サーバ３又は討議管理用端末機５からの命令等によって、保存されること無く、携帯端末機４から消去される。
【００６１】
グループに属する参加者は全て「ＳＡＶＥ」ボタン４１を押下可能であり、当該グループの討議資料情報に対するメモデータ１２は、複数人のメモデータ１２によって次々に重畳して書き込まれ、更新されることとなる。
【００６２】
また、メモデータ１２を一定時間毎に自動的にバックアップファイルを作成するように設定を行うことも可能であり、データの保全及び、講義進行中のメモデータの変更履歴の変更履歴として、メモデータ１２の保存を行う様にすることが望ましい。
【００６３】
また、変更履歴として保存した、複数のメモデータ１２を、携帯端末４及び討議管理用端末機５で、閲覧可能なように設定しても良い。グループ討議の振り返りをするために有効である。
【００６４】
［グループ討議中の討議管理用端末機の機能］
図５（Ａ）及び図５（Ｂ）は、討議管理用端末機５のグループ討議中の状態を示す図である。討議管理用端末機５は、グループ討議中に各グループが作成中の複数の各グループ討議用資料１１同時に閲覧することが出来る。例えば、図５（Ａ）に示すように、討議管理用端末機５の表示部を分割して単数又は複数のグループ討議用資料１１ａ乃至１１ｄを表示したり、図５（Ｂ）に示すように、単数のグループ討議用資料１１を大きく表示し、他のグループ討議用資料１１ａ乃至１１ｄを小さく表示（例えば、タブ、アイコン、等）する方法で表示して、閲覧をする際には、前記タブ、アイコン、等を操作して、該当するグループ討議用資料１１を拡大するようにすると好適である。
【００６５】
討議管理用端末機５に表示する、各グループ討議用資料１１ａ乃至１１ｄが更新された場合、討議管理用端末機５に表示されるグループ討議用資料１１ａ乃至１１ｄも随時更新される。討議の進行により、グループ討議用資料１１ａ乃至１１ｄに書き込みが加えられて行く状態を、随時確認することが出来る。
【００６６】
また、討議管理用端末機５は、グループ討議中に各グループが作成中の各グループ討議用資料１１ａ乃至１１ｄに書き込み可能なアクセス権をする。したがって、グループ討議中にアドバイス等の書き込みをしたり、ポインタで指摘を行う等、グループ討議の方向性を示唆したり、間違いを指摘したりすることで、グループ討議の進行を円滑に導くことができる。
【００６７】
［グループ分けの変更］
また、グループ討議中に、参加者は自己の加入するグループを変更することが出来る。講義中に討議管理用端末機５から、図９に示すグループ選択画面２５を表示させ、新しく加入するグループ名をタップ（クリック）することで、該当するグループに加入することが出来る。例えば、参加者は、講義中の１回目のグループ討議はＡグループ、２回目はＣグループ、３回目はＢグループとグループを変更して、グループ討議に参加することが出来る。また、図４に示すグループ変更ボタン４２を押下することで、参加者が加入可能なグループ一覧を表示し、参加者が選択することで、グループを変更可能なようにする。
【００６８】
ただし、前記グループ一覧には、講師又は管理者が、予め講義情報新規作成画面−グループ新規作成−２４ｅ（図８（Ｅ）に示す）にて登録したグループのみが表示されるため、参加者は許可したグループ間の移動のみを可能としている。
【００６９】
また、新しいグループ討議に参加した場合は、当該グループ討議用資料１１にのみ、アクセス可能となる。例えば、講義中の１回目のグループ討議はＡグループに参加し、グループ討議用資料１１ａにのみアクセス可能であるが、２回目はＣグループに参加した場合は、グループ討議用資料１１ｃにのみアクセス可能となり、以前アクセスしていたグループ討議用資料１１ａにはアクセス不可能となる。
【００７０】
また、グループ討議を開催していない場合は、全てのグループ討議用資料１１にアクセス不可能となる。
【００７１】
また、新規のグループを作成したい場合は、管理者又は講師は管理サーバ３を使用して、図８（Ｅ）に示すグループ−新規作成画面−２４ｅに入力して、新たなグループを作成することが出来る。
【００７２】
［グループ討議の発表］
グループ討議後の全体発表の際には、参加者が講師に対して発表者権限を要求し、講師が討議管理用端末機５上の発表者権限付与画面４７にて発表者を「許可」することにより、その参加者に一時発表者権限を承認することで行われる。
【００７３】
一時発表者権限を有する参加者は、参加者全員の前で発表用端末機６を使用して、討議管理用端末機５、全ての携帯端末機４に同一のグループ討議用資料１１及びメモデータ１２を表示して、発表を行い、グループ討議の結果を検証することが可能である。この時、大型のタッチパネルを一の参加者として登録しておくと、発表者用端末機の画面が大型ディスプレイに表示され、全員が目視し易く、好適である。
【００７４】
［発表時のページ送り指示］
発表が開始されると、発表者は、発表の進行に合わせて、発表用端末機６に表示されたグループ討議用資料１１及びメモデータ１２を、発表用端末機６に表示された図４に示す「ページ送り」ボタン４８
を操作してページをめくる。発表用端末機６は、ページ送りが行われると、管理サーバ３に「ページ送り」命令を送信する。管理サーバ３は命令を受信し、携帯端末機４及び討議管理用端末機５に「ページ送り」命令を転送する。携帯端末機４及び討議管理用端末機５は命令を受信すると、命令に記載されたページとなるように、グループ討議用資料１１及びメモデータ１２のページを表示し、発表用端末機６と携帯端末機４及び討議管理用端末機５のグループ討議用資料１１及びメモデータ１２は、同期し、同じページを表示する事となる。
【００７５】
グループ討議中、参加者は操作方法を「手動操作」に切り替えることで、携帯端末機４に表示されているグループ討議用資料１１を、参加者の任意のページに遷移することができる。「手動操作」中に発表用端末機６から「ページ送り」命令を受けた場合に、任意のページを表示している場合は、命令を無視して同期しなくても良い。また、グループ討議用資料１１及びメモデータ１２が複数ある場合は、他の資料を、閲覧することもできる。
【００７６】
そして、携帯端末機４には「同期」ボタン（図示せず）が用意され、押下することで、発表用端末機６のグループ討議用資料１１及びメモデータ１２と表示ページを同期させることができる。この時、操作方法は「自動操作」に切り替わる。また、討議管理用端末機５に「強制同期」等のボタンを設け、押下することで総ての携帯端末機４のページを、強制的に同期するようにしても良い。
【００７７】
また、講師は一時発表者の許可順序は任意に、例えば申込み順等で決められる。よって、一時発表者の発表順番により、グループ討議用資料１１の発表順序も決まる。
［グループ討議の終了］
グループ討議の終了は、講師及び参加者が自己の携帯端末４の画面上から「グループ討議終了」ボタン（図示せず）を押下することで、押下した者は、グループ討議から離脱出来る。
【００７８】
［メモ情報付加討議資料の作成］
グループ討議が終了すると、管理サーバ３に保存されている、各グループ毎のグループ討議用資料１１と、メモデータ１２を合成し、合成資料１３が作成される。グループ討議用資料１１と、メモデータ１２の両者を重畳して合成し、１つの電子ファイルとし、画面上でメモを記入したときのように、あたかも直接グループ討議用資料１１に参加者が書き込んだように作成される。この合成資料１３は、電子透かし等の、不正コピーやデータの改竄を見破る措置を施しても良い。合成資料１３は、管理サーバ３の所定の保存領域に保管し、データベース３０のメモ情報付加討議資料情報３５に記録する。
【００７９】
また、グループ討議進行中の一定時間毎に、グループ討議用資料１１及びメモデータ１２の自動的にバックアップファイルを作成するように設定を行った場合、バックアップ時に各合成資料１３を作成し、メモ情報付加討議資料情報３５に、順次、メモ情報付加討議資料情報３５ａ、３５ｂ・・・として保存する。
【００８０】
上述したように、本発明よれば、ペーパーレスの電子グループ討議システムにおいて、少人数のグループにわかれ、グループ討議をする際に、グループ内で一の電子資料（グループ討議用資料１１）に対して、書き込みをして、情報を共有しながら議論することが出来る。
【００８１】
また、グループ討議中に、他のグループ討議用資料１１を見ることが出来ないので、グループ内でオリジナルの議論することが出来る。
【００８２】
また、グループ討議中にグループ変更することができ、グループ変更をした場合、新しく変更先グループに加入した参加者も、変更時点の新しい変更先グループのグループ討議用資料１１を共有しながらグループの中で議論することが出来る。
【００８３】
また、グループ討議中に、任意の参加者が発表者権限を持つことにより、発表者の所属するグループのグループ討議用資料１１を全員で見ることができ、当該グループ討議用資料１１を見ながら、議論の結果を発表し、検討することが出来る。
【００８４】
［その他の実施例］
本発明に係るグループ討議システムは、上記の実施例以外にも、次のような機能を実装しても良い。
【００８５】
［動画資料］
本グループ討議システムの他の実施例として、グループ討議用資料１１は、ＰＤＦ化した文章、静止画の資料のみならず、動画・音声資料を用いても良い。動画のファイル形式は、討議管理用端末機５及び携帯端末機４で再生可能な形式であれば、ＱｕｉｃｋＴｉｍｅ（登録商標）、ＭＰＥＧ（Ｍｏｖｉｎｇ  Ｐｉｃｔｕｒｅ  Ｅｘｐｅｒｔｓ  Ｇｒｏｕｐ）等のどの様な形式でも良い。
【００８６】
［グループ討議用資料閲覧制限機能］
例えば、社員の役職等や部署、講義への有料参加者、無料参加者等の権限に応じて、管理サーバ３から携帯端末機４にダウンロード可能な資料の制限機能を備えても良い。参加者毎に必要な資料のみを提供することができる。
【００８７】
［オフラインでの使用］
また、携帯端末機４を管理サーバ３に未接続のオフライン状態においても、携帯端末機４にダウンロードしたグループ討議用資料１１を参照可能とする。その場合、オフライン状態用のＩＤ及びパスワード認証を実施することでセキュリティを確保する。
【００８８】
この発明は、その本質的特性から逸脱することなく数多くの形式のものとして具体化することができる。よって、上述した実施形態は専ら説明上のものであり、本発明を制限するものではないことは言うまでもない。
【符号の説明】
【００８９】
１      グループ討議システム
２      ネットワーク
３      管理サーバ
４      携帯端末機
５      討議管理用端末機
６      表示用端末機
７      無線ルータ
１１    グループ討議用資料
１２    メモデータ
１３    合成資料
２１    管理用メニュー画面
２３    参加者管理画面
２４    講義情報一覧画面
２５    グループ選択画面
３０    データベース
３１    講義情報
３１ａ  講義名
３１ｂ  開催日時
３１ｃ  開催場所
３１ｄ  内容
３１ｅ  閲覧期限
３１ｆ  メモ情報削除期限
３１ｇ  講義資料欄
３２    講義資料情報
３３    グループ情報
３３ａ  グループ名
３３ｂ  参加者情報
３３ｃ  携帯端末情報
３３ｄ  講師権限有無
３４    メモ情報
３５    メモ情報付加講義資料情報
４１    「ＳＡＶＥ」ボタン
４２    グループ変更ボタン
４４    ＰＤＦインポートボタン
４５    データ取込ボタン
４６    テンプレート取込ボタン
４７    発表者権限付与画面
４８    「ページ送り」ボタン
【図１】
2013239047.tif 000003
【図２】
2013239047.tif 000004
【図３】
2013239047.tif 000005
【図４】
2013239047.tif 000006
【図５】
2013239047.tif 000007
【図６】
2013239047.tif 000008
【図７】
2013239047.tif 000009
【図８】
2013239047.tif 000010
【図９】
2013239047.tif 000011
【図１０】
2013239047.tif 000012